(57)【要約】【課題】基地局から送信されかつ送信周波数情報を含んでいる信号が周波数変換機能を有する他の通信装置により中継され、基地局から送信された際の周波数とは異なる周波数の信号を受信した場合であっても正常に動作可能な通信装置を得ること。【解決手段】本発明は、送信周波数情報を含んだ信号を送信する基地局、基地局と通信する移動局および基地局と当該移動局との間で送受信される信号を中継する無線装置を備えた無線通信システムにおいて、移動局として動作する通信装置であって、受信信号に含まれる送信周波数情報を取得する制御パケット送受信部３３と、取得された送信周波数情報および受信信号の受信周波数情報に基づいて、その後に実行する動作を決定する受信周波数判定部３２と、を備えることとした。【選択図】        図２
2010016773.tif 000002
【特許請求の範囲】
【請求項１】
送信周波数情報を含んだ信号を送信する基地局、当該基地局と通信する移動局および当該基地局と当該移動局との間で送受信される信号を中継する無線装置を備えた無線通信システムにおいて、前記移動局として動作する通信装置であって、
前記基地局または前記無線装置からの受信信号に含まれる送信周波数情報を取得する送信周波数情報取得手段と、
前記取得された送信周波数情報および前記受信信号の受信周波数情報に基づいて、その後に実行する動作を決定する実行動作決定手段と、
を備えることを特徴とする通信装置。
【請求項２】
前記実行動作決定手段は、前記送信周波数情報および前記受信周波数情報に基づいて、当該送信周波数情報に従った動作を実行するかどうかを決定することを特徴とする請求項１に記載の通信装置。
【請求項３】
前記実行動作決定手段は、前記送信周波数情報が示す周波数と前記受信周波数情報が示す周波数が異なる場合、前記受信周波数情報に従った動作の実行を決定することを特徴とする請求項２に記載の通信装置。
【請求項４】
ＩＥＥＥ８０２．１６規格を適用した無線通信システムの移動局として動作することを特徴とする請求項１、２または３に記載の通信装置。
【請求項５】
基地局、当該基地局と通信する移動局および当該基地局と当該移動局との間で送受信される信号を中継する無線装置を備えた無線通信システムであって、
前記基地局は、
自身が送信する信号の周波数情報である第１の送信周波数情報および前記無線装置が前記移動局に対して送信する信号の周波数情報である第２の送信周波数情報を含んだ信号を前記移動局宛に送信し、
前記移動局は、
前記基地局または前記無線装置からの受信信号に含まれる前記第１および第２の送信周波数情報と、当該受信信号の受信周波数情報と、に基づいて、その後に実行する動作を決定する
ことを特徴とする無線通信システム。
【請求項６】
前記移動局は、前記第１および第２の送信周波数情報と、前記受信周波数情報と、に基づいて、通信相手が前記基地局と前記無線装置のどちらであるかを特定し、当該特定結果に従った通信動作を実行することを特徴とする請求項５に記載の無線通信システム。
【請求項７】
前記移動局は、ハンドオーバを実行する際のハンドオーバ先決定処理において、前記第１および第２の送信周波数情報を利用することを特徴とする請求項５または６に記載の無線通信システム。
【請求項８】
ＩＥＥＥ８０２．１６規格を適用したことを特徴とする請求項５、６または７に記載の無線通信システム。
【発明の詳細な説明】
【技術分野】
【０００１】
本発明は、受信した信号の周波数を変換しつつ転送する機能を有する無線装置（中継装置）を含んだ無線通信システムにおいて、移動局として動作する通信装置に関する。
【背景技術】
【０００２】
ＩＥＥＥ８０２．１６無線通信システムでは、Ｃ−Ｐｌａｎｅ（Ｃｏｎｔｒｏｌ  Ｐｌａｎｅ）のメッセージであるＤＣＤ（ＤＬ  Ｃｈａｎｎｅｌ  Ｄｅｓｃｒｉｐｔｏｒ）メッセージとＵＣＤ（ＵＬ  Ｃｈａｎｎｅｌ  Ｄｅｓｃｒｉｐｔｏｒ）メッセージによって、基地局（ＢＳ：Ｂａｓｅ  Ｓｔａｔｉｏｎ）の無線チャネル情報を含んだ報知情報が配下の各移動局（ＭＳ：Ｍｏｂｉｌｅ  Ｓｔａｔｉｏｎ）に報知されている。この報知情報には、ＢＳＩＤ、中心周波数（無線チャネル情報）、フレーム構成、制御情報などの情報が含まれる。移動局は、受信した報知情報から取得した各種情報を用いて基地局との通信を実施する（下記非特許文献１参照）。
【０００３】
また、無線通信システムの中には、基地局が送信した信号（無線信号）の周波数が伝送路上の無線装置により変換され、基地局から送信された際の周波数とは異なる周波数の無線信号が移動局に到達する（受信される）システムが存在する。
【０００４】
たとえば、屋内やトンネル内など、移動局から基地局が見通せない電波の不感地帯を解消する技術として、移動局と基地局との間に位置する装置が、受信した信号（電波）を同一または異なる周波数にて中継する技術が存在する。より詳細には、電波を中継する装置として、下位リンクを制御し、受信したパケットを同一周波数または異なる周波数で中継する無線装置（中継装置）と、下位リンクの制御を行うことなく、受信した電波を同一周波数または異なる周波数で再び送信する無線装置（Ｒｅｐｅａｔｅｒ）が存在する。前者の中継装置に関しては、特にＷｉＭＡＸを無線通信システムとして使用するものに対して、ＩＥＥＥ８０２．１６ｊ  Ｍｕｌｔｉｈｏｐ  Ｒｅｌａｙ  Ｓｙｓｔｅｍ規格として標準化が進められている。これに対し、後者の無線レイヤで周波数を変換するＲｅｐｅａｔｅｒについては、ＩＥＥＥ８０２．１６規格では規定されておらず、標準化された規格は存在していない。
【０００５】
【非特許文献１】ＩＥＥＥ  Ｐ８０２．１６Ｒｅｖ２／Ｄ５（Ｊｕｎｅ  ２００８）
【発明の開示】
【発明が解決しようとする課題】
【０００６】
上述したように、ＥＥＥ８０２．１６規格では無線レイヤで周波数を変換するＲｅｐｅａｔｅｒ（レピーター）については規定がされていない。そのため、ＩＥＥＥ８０２．１６規格の無線通信システムにおいては、基地局と移動局がレピーターを介して通信を行うことができず、移動局から基地局が見通せない電波の不感地帯を解消するにあたって、下位リンクの制御が不要なレピーターを利用することができない、という問題があった。
【０００７】
たとえば、周波数が変換される無線通信システムの例として、基地局と移動局の間に、周波数を変換するレピーターが存在し、電波を中継するシステムを想定する。このシステムでは、基地局は、自身が送信している電波の中心周波数の情報を含んだ報知情報を移動局に通知する。一方で、レピーターは、基地局から受信した電波の周波数を変換し、受信した際の周波数とは異なる周波数にて送信（転送）する。この結果、移動局では、報知情報に含まれる中心周波数情報が示す周波数と実際に受信する電波の無線周波数が異なったものとなり、矛盾が生じてしまう。そして、このような問題に対する解決手段がＩＥＥＥ８０２．１６では規定されていないため、ＩＥＥＥ８０２．１６規格の無線通信システムにおいては、移動局の動作が予測不能となる。
【０００８】
本発明は、上記に鑑みてなされたものであって、基地局から送信された信号が周波数変換機能を有するレピーターにより中継され、基地局から送信された際の周波数とは異なる周波数の信号を受信した場合であっても正常に動作可能な移動局として動作する通信装置、および無線通信システムを得ることを目的とする。
【課題を解決するための手段】
【０００９】
上述した課題を解決し、目的を達成するために、本発明は、送信周波数情報を含んだ信号を送信する基地局、当該基地局と通信する移動局および当該基地局と当該移動局との間で送受信される信号を中継する無線装置を備えた無線通信システムにおいて、前記移動局として動作する通信装置であって、前記基地局または前記無線装置からの受信信号に含まれる送信周波数情報を取得する送信周波数情報取得手段と、前記取得された送信周波数情報および前記受信信号の受信周波数情報に基づいて、その後に実行する動作を決定する実行動作決定手段と、を備えることを特徴とする。
【発明の効果】
【００１０】
この発明によれば、移動局として動作する通信装置は、受信信号に含まれる送信周波数情報と受信信号の実際の周波数を示す受信周波数情報とに基づいて、その後に実行する動作を決定するようにしたので、基地局から送信された信号の周波数が伝送路上で変換され、本来の周波数（基地局が送信した際の周波数）とは異なる周波数の信号を受信した場合であっても、正常に動作することができる、という効果を奏する。
【発明を実施するための最良の形態】
【００１１】
以下に、本発明にかかる通信装置および無線通信システムの実施の形態を図面に基づいて詳細に説明する。なお、この実施の形態によりこの発明が限定されるものではない。
【００１２】
実施の形態１．
図１は、本発明にかかる通信装置を含んだ無線通信システムの実施の形態１の構成例を示す図である。この無線通信システムは、基地局（ＢＳ）１、無線装置（Ｒｅｐｅａｔｅｒ）２および移動局（ＭＳ）３を含み、たとえば、ＩＥＥＥ８０２．１６規格の無線通信システムである。
【００１３】
基地局１は、送信周波数情報を含んだ無線信号を自身が管理するセル（Ｃｅｌｌ）内に送信する。この送信周波数情報は、たとえば、送信信号の中心周波数（以下、単に「周波数」と記載する）を示すチャネル情報であり、基地局１から配下の移動局３に対して報知される情報（報知情報）に含まれる。なお、報知情報は、ＤＣＤメッセージやＵＣＤメッセージなどの制御メッセージによってセル内に報知される。
【００１４】
無線装置２は、基地局１が管理するセル内に位置しており、基地局１からの受信信号（受信電波）を中継するレピーターとして動作する。また、移動局３が基地局１に向けて送信した信号を受信した場合にもこの受信信号を中継する。なお、無線装置２は、受信した際の周波数とは異なる周波数にて信号を送信（転送）する機能を有する。図１に示した例では、基地局１から周波数ｆ1の信号を受信し、これを周波数ｆ2で転送している。
【００１５】
移動局３は、基地局１と通信を行う。ただし、基地局１との直接通信が不可能な場合、無線装置２を介して通信を行う。そのため、移動局３は、基地局１から通知された送信周波数（送信周波数情報が示す周波数）と実際の受信周波数（受信信号の周波数）とを比較し、これらが一致しない場合には、通知された送信周波数を無視し、実際の受信周波数に従った動作を実行する。
【００１６】
すなわち、本実施の形態の無線通信システムでは、移動局３が、基地局１から通知された送信周波数情報が示す周波数と実際に受信した信号の周波数を比較し、これらの周波数が異なる場合、無線装置２によって周波数変換されたと判断する。そして、移動局３は、基地局１から通知された送信周波数情報を無視し、実際の受信信号の周波数に従った通信を行うことを特徴とする。
【００１７】
また、本実施の形態の無線通信システムでは、送信周波数情報が実際の受信信号の周波数と異なる例を示したが、報知情報に含まれる他の情報要素に関しても、予期しない情報要素が含まれていた場合には、該当する情報要素を無視し読み飛ばす動作を実行する。
【００１８】
なお、図１では基地局１が管理するセル内に存在する無線装置２が１つの場合の例を示しているが、複数存在する場合もある。直接または無線装置２を介して基地局１と通信可能な移動局３も同様に、複数存在する場合がある。また、無線装置２は、信号を受信した際の周波数と同じ周波数を用いて受信信号を転送してもよい。すなわち、無線装置２による中継動作において、周波数変換処理は必須ではない。
【００１９】
図２は、図１で示した本実施の形態の無線通信システムに含まれる各装置（基地局，無線装置，移動局）の内部構成例を示す図である。
【００２０】
図示したように、基地局１は、移動局３との間でユーザデータの送受信を行うためのＵ−Ｐｌａｎｅ（Ｕｓｅｒ  Ｐｌａｎｅ）を構成する情報パケット送受信部１１と、移動局３との間で制御情報の送受信を行うためのＣ−Ｐｌａｎｅを構成する制御パケット送受信部１２と、移動局３との間で信号を送受信する際に所定のベースバンド信号処理を実行するベースバンド信号処理部１３と、移動局３との間で信号を送受信する際に所定の無線信号処理（高周波信号処理）を実行するＲＦ処理部１４と、を備える。
【００２１】
無線装置２は、基地局１と移動局３の間で送受信される信号を中継する際に所定のベースバンド信号処理を実行するベースバンド信号処理部２１と、信号を中継する際に所定の無線信号処理を実行するＲＦ処理部２２および２３と、を備える。
【００２２】
移動局３は、基地局１との間でユーザデータの送受信を行うためのＵ−Ｐｌａｎｅを構成する情報パケット送受信部３１と、基地局１との間で制御情報の送受信を行うためのＣ−Ｐｌａｎｅを構成する受信周波数判定部３２（実行動作決定手段に相当）および制御パケット送受信部３３（送信周波数情報取得手段に相当）と、基地局１との間で信号を送受信する際に所定のベースバンド信号処理を実行するベースバンド信号処理部３４と、基地局１との間で信号を送受信する際に所定の無線信号処理を実行するＲＦ処理部３５と、を備える。
【００２３】
つづいて、上記構成の無線通信システムにおける各装置の動作を詳細に説明する。ここでは、本実施の形態の特徴的な動作である「基地局１と移動局３が通信を開始する際に、基地局１が送信信号の情報（送信周波数情報）を含んだ制御信号（制御パケット）を送信し、この信号を、移動局３が無線装置２経由で受信する場合の動作」を中心に説明する。
【００２４】
基地局１では、移動局３との通信を開始するにあたって、制御パケット送受信部１２が、送信周波数情報を含んだ制御パケットを生成する。なお、この制御パケットはベースバンド信号処理部１３およびＲＦ処理部１４を介してブロードキャスト送信される。制御パケットは、ＤＬ（Ｄｏｗｎ  Ｌｉｎｋ）の無線チャネルに関する情報をセル内に報知するためのＤＣＤメッセージやＵＬ（Ｕｐ  Ｌｉｎｋ）の無線チャネルに関する情報をセル内に報知するためのＵＣＤメッセージを含む。また、ＤＣＤメッセージは、送信元の基地局１を示すＢＳＩＤ、基地局１が送信する無線信号の周波数ｆ1の情報（送信周波数情報）、その他の制御情報を含む。ＵＣＤメッセージは、基地局１に対して送信する（基地局１が受信する）無線信号の周波数の情報やその他の制御情報を含む。上記の制御パケットは、ベースバンド信号処理部１３に渡され、所定のバースバンド信号処理が行われ、さらに、ＲＦ処理部１４において所定の高周波処理が実行されてアップコンバートされ、周波数がｆ1の無線信号として送信される。
【００２５】
無線装置２では、基地局１から送信された周波数ｆ1の無線信号をＲＦ処理部２２が受信し、ＲＦ処理部２２は、受信信号をダウンコンバートし、ベースバンド帯の信号に変換する。次に、このベースバンド帯の受信信号に対してベースバンド信号処理部２１が所定のベースバンド信号処理を行い、得られたベースバンド処理後の信号をＲＦ処理部２３へ渡す。ＲＦ処理部２３は、受け取った信号に対して所定の高周波処理を実行し、周波数がｆ2の無線信号として送信する。
【００２６】
移動局３では、無線装置２で中継された周波数ｆ2の無線信号をＲＦ処理部３５が受信し、ＲＦ処理部３５は、受信信号に対して所定の高周波処理を実行してダウンコンバートし、ベースバンド帯の信号に変換する。次に、ベースバンド信号処理部３４は、上記ベースバンド帯の信号に変換された受信信号に対して所定のベースバンド信号処理を実行する。そして、ベースバンド処理を実行したことにより制御パケットが得られた場合、その制御パケットを制御パケット送受信部３３へ渡す。一方、ベースバンド信号処理を実行して得られたパケットが情報パケットの場合には、それを情報パケット送受信部３１へ渡す。
【００２７】
制御パケット送受信部３３は、ベースバンド信号処理部３４から制御パケットを受け取った場合、その制御パケットに含まれる報知情報から基地局１が送信する無線信号の周波数ｆ1の情報を取得し、取得した周波数情報を受信周波数判定部３２へ渡す。また、ＲＦ処理部３５は、受信信号の無線周波数ｆ2の情報を受信周波数判定部３２へ渡す。そして、受信周波数判定部３２は、上記制御パケット送受信部３３から取得した周波数情報（送信周波数情報）およびＲＦ処理部３５から取得した周波数情報（受信周波数情報）に基づいて、その後に実行する動作を決定する。この受信周波数判定部３２による処理を、図３に基づいて以下に示す。なお、図３は、受信周波数判定部３２による実行動作決定処理の一例を示すシーケンス図である。
【００２８】
図３に示したように、受信周波数判定部３２は、受信無線信号の周波数ｆ2の情報（受信周波数情報）と報知情報に含まれる周波数ｆ1の情報（送信周波数情報）を受け取ると（ステップＳ１、Ｓ２）、これらの情報が示す２つの周波数が一致しているかを判定する（ステップＳ３）。判定の結果、２つの周波数が一致している場合（ステップＳ３，Ｙｅｓ）、基地局１からの信号を直接受信した、または、無線装置２により周波数変換が行われずに中継された信号を受信した、と判断し、通常通信（基地局１と直接通信する場合の通信動作）の実行を決定する（ステップＳ６）。一方、２つの周波数が異なる場合には（ステップＳ３，Ｎｏ）、無線装置２による周波数変換が行われていると判断し、報知情報にて通知された周波数ｆ1（送信周波数情報）を無視し（ステップＳ４）、受信した無線信号の周波数ｆ2による通信実行を決定する（ステップＳ５）。
【００２９】
そして、移動局３は、受信周波数判定部３２による決定結果に従った通信動作を実行する。なお、無線装置２が周波数変換を行う場合、移動局３が基地局１に対して送信した信号（ＵＬの信号）も無線装置２にてその周波数が変換されることになるが、基地局１から移動局３への信号（ＤＬの信号）に対して実行した周波数変換と逆の周波数変換が実施されるため、基地局１は、移動局３と直接通信する場合と無線装置２を介して通信する場合のいずれにおいても同じ周波数の信号を受信することになる。すなわち、基地局１は通信相手が移動局３であるか無線装置２であるかを意識する必要はない。
【００３０】
このように、本実施の形態の無線通信システムでは、移動局は、受信した信号の周波数と報知情報にて通知された基地局が送信した信号の周波数を比較することで、周波数変換の有無を検知し、通信を行う周波数を決定することとした。これにより、受信信号の周波数情報（受信周波数情報）と報知情報に含まれる周波数情報（送信周波数情報）の不整合時動作を明確にし、周波数を変換して信号を中継する装置が介在した通信を実現することが可能となる。また、周波数の変換を検知することで、ハンドオーバや伝送路測定など、受信チャネルに基づく機能を正しく動作させることが可能となる。
【００３１】
なお、本実施の形態では、無線装置（Ｒｅｐｅａｔｅｒ）がベースバンド処理を行う無線通信システムにおける移動局の動作例について示したが、ＲＦ処理部の周波数変換機能のみを有する無線装置を備えた無線通信システムにおける移動局に対しても、上述した制御動作を適用可能である。また、無線装置は、ベースバンド処理後にパケット処理を行う機能を有するものであっても構わない。
【００３２】
以上のように、本実施の形態で示した技術は、基地局が送受信する周波数と移動局が送受信する周波数が異なる場合に有効な技術であり、無線通信システム内の各装置の構成を限定するものではない。これは、後述する実施の形態においても同様である。
【００３３】
実施の形態２．
つづいて、実施の形態２について説明する。実施の形態１では、報知情報（基地局より通知された送信周波数情報）および受信情報（受信信号の周波数情報）に基づいて、移動局が周波数変換の有無を検出する場合の動作について示した。これに対して、本実施の形態では、基地局は、送信信号の周波数情報に加えて、無線装置により中継された後の信号の周波数情報を移動局に対して通知し、移動局は、基地局から通知された上記の各周波数情報に基づいて、その後に実行する動作を決定する。このように、周波数が変換されることを基地局が明示的に示すことで、周波数が変換される無線通信システムを実現することが可能となる。また、周波数の変換情報を通知することで、移動局では、効率的なハンドオーバや伝送路測定を実施できる。なお、本実施の形態の無線通信システムの構成は、実施の形態１と同様である（図１参照）。
【００３４】
図４は、実施の形態２の無線通信システムに含まれる各装置（基地局，無線装置，移動局）の内部構成例を示す図である。図示した本実施の形態の基地局１ａは、実施の形態１の基地局１（図２参照）に対して中継周波数管理部１５が追加された構成をとる。なお、その他の構成要素については実施の形態１で示した基地局１の各構成要素と同一であるため、同じ構成要素に対して同一の符号を付し、その説明は省略する。図示したとおり、中継周波数管理部１５は、制御パケット送受信部１２とともにＣ−Ｐｌａｎｅを構成している。
【００３５】
本実施の形態の無線装置２は、実施の形態１の無線装置２と同一である（図２参照）。そのため、同一の符号を付して説明は省略する。また、本実施の形態の移動局３ａは、実施の形態１の移動局３（図２参照）が備えていた受信周波数判定部３２を受信周波数判定部３２ａに置き換えたものであり、その他の構成要素については実施の形態１で示した基地局１の各構成要素と同一である。そのため、同じ構成要素に対して同一の符号を付し、その説明は省略する。
【００３６】
以下に、本実施の形態の無線通信システムにおける各装置の動作について、実施の形態１で説明済の動作と異なる部分を中心に、詳しく説明する。なお、実施の形態１と同様に、本実施の形態においても、基地局１と移動局が通信を開始する際に、基地局１が移動局３に対する送信で使用するチャネルの情報を含んだ制御信号（制御パケット）を送信し、この信号を、移動局３が無線装置２経由で受信する場合の動作、を中心に説明する。
【００３７】
基地局１ａの中継周波数管理部１５は、無線装置２が移動局３ａとの間で送受信する無線信号（以下、「中継信号」と呼ぶ）の周波数（ｆ2）を管理しておく。そして、移動局３ａとの通信を開始するにあたって、基地局１ａの制御パケット送受信部１２では、基地局１ａ自身が送受信する無線信号（以下、「直接信号」と呼ぶ）の周波数（ｆ1）の情報を含んだ制御パケット（第１の制御パケット）と、中継周波数管理部１５により管理されている中継信号の周波数（ｆ2）の情報を含んだ制御パケット（第２の制御パケット）を生成し、それぞれを移動局３ａに対して送信する。
【００３８】
なお、中継周波数管理部１５は、たとえば、中継信号の周波数情報を無線装置２から予め取得しておくものとする。または、中継周波数管理部１５は、無線装置２に対して、信号を中継する際に使用する周波数（中継信号の周波数）を指示する。中継信号の周波数を指示するにあたっては、無線装置２宛に制御パケットを別途送信するなどしてもよいし、上記第２の制御パケットを受信した無線装置２が、それに含まれる中継信号の周波数情報に従った周波数を使用するようにしてもよい。また、無線装置２が周波数変換を行う際のルール（周波数変換規則）が予め決定されているのであれば、中継周波数管理部１５は、このルールを保持しておき、これと直接信号の周波数とに基づいて中継信号の周波数を特定し、特定結果を制御パケット送受信部１２へ渡すようにしてもよい。たとえば、無線装置２が受信信号の周波数から一定間隔だけ高い周波数を利用して中継（送信）を行うというルールに従って中継動作を行うことが予め決定されているのであれば、中継周波数管理部１５では、このルールを利用して、自身（基地局１ａ）が送信する信号（直接信号）の周波数から中継信号の周波数を特定する。
【００３９】
移動局３ａの制御パケット送受信部３３は、第１および第２の制御パケットを受信した場合、受信した各制御パケットに含まれている、直接信号の周波数（ｆ1）の情報および中継信号の周波数（ｆ2）の情報、を抽出する。そして、抽出した各周波数情報を受信周波数判定部３２ａに渡す。受信周波数判定部３２ａは、制御パケット送受信部３３から受け取った各周波数情報（第１／第２の送信周波数情報）と、ＲＦ処理部３５から取得した周波数情報（受信周波数情報）と、に基づいて、受信信号が基地局１ａから直接受信したものか、それとも無線装置２により中継されたものかを判定する（通信相手を特定する）。たとえば、基地局１ａから通知された各周波数情報が示す直接信号の周波数と中継信号の周波数が異なる場合、受信周波数情報が示す周波数が直接信号と中継信号のどちらの周波数と一致しているかを確認し、通信相手を特定する。
【００４０】
そして、移動局３ａは、受信周波数判定部３２ａによる特定結果に従った通信動作を実行する。すなわち、基地局１ａが通信相手の場合、直接信号の周波数情報に従った通信を行い、無線装置２が通信相手の場合には、中継信号の周波数情報に従った通信を行う。
【００４１】
このような制御を行うことにより、移動局３ａは、基地局１ａと直接通信している場合、無線装置２の無線周波数情報（中継信号の周波数情報）に従って、無線装置２との間の伝送路測定を効率的に行うことができ、さらに、無線装置２をハンドオーバ先の候補とすることが可能となる。また、無線装置２を介して基地局１ａと通信している場合にも同様に、基地局１ａの無線周波数情報（直接信号の周波数情報）に従って、基地局１ａとの間の伝送路測定を効率的に行い、さらに、基地局１ａをハンドオーバ先の候補とすることが可能となる。
【００４２】
なお、無線装置２において周波数変換が実施されない場合、すなわち、基地局１ａが移動局３ａに対して通知する直接信号の周波数情報と中継信号の周波数情報が同じ周波数を示している場合、移動局３ａは、通信相手先が基地局１ａか無線装置２かを意識せずに、通常通信を行う（基地局１ａと直接通信する場合と同様の通信動作を行う）。
【００４３】
このように、本実施の形態の無線通信システムでは、基地局が移動局に対して、自身が送信している信号（直接信号）の周波数情報に加えて、無線装置にて周波数変換を伴った中継が行われた後の信号（中継信号）の周波数情報を明示的に通知することとした。これにより、周波数が変換される無線通信システムを実現し、且つ効率的なハンドオーバや伝送路測定を実施することが可能となる。
【００４４】
なお、本実施の形態では、基地局が、自身が送信する直接信号の周波数情報を含んだ第１の制御パケットと、無線装置による周波数変換後の中継信号の周波数情報を含んだ第２の制御パケットを移動局に対して送信する場合の構成について示したが、基地局は、直接信号の周波数情報と中継信号の周波数情報の双方を含んだ１つの制御パケットにて送信するようにしてもよい。また、直接信号の周波数情報および中継信号の周波数情報を移動局へ通知できるのであれば、いかなる制御パケットを利用しても構わない。
【産業上の利用可能性】
【００４５】
以上のように、本発明にかかる通信装置は、送信周波数の情報を含んだ制御信号（制御パケット）を送信する基地局と通信する移動局に有用であり、特に、受信信号を周波数変換した上で転送する機能を有する他の通信装置（レピーター）によって転送された信号を受信した場合でも正常に動作可能な通信装置に適している。
【図面の簡単な説明】
【００４６】
【図１】本発明にかかる通信装置を含んだ無線通信システムの実施の形態１の構成例を示す図である。
【図２】実施の形態１の無線通信システムに含まれる各装置（基地局，無線装置，移動局）の内部構成例を示す図である。
【図３】受信周波数判定部による実行動作決定処理の一例を示すシーケンス図である。
【図４】実施の形態２の無線通信システムに含まれる各装置（基地局，無線装置，移動局）の内部構成例を示す図である。
【符号の説明】
【００４７】
１、１ａ  基地局（ＢＳ）
２  無線装置（Ｒｅｐｅａｔｅｒ）
３、３ａ  移動局（ＭＳ）
１１、３１  情報パケット送受信部
１２、３３  制御パケット送受信部
１３、２１、３４  ベースバンド信号処理部
１４、２２、２３、３５  ＲＦ処理部
１５  中継周波数管理部
３２、３２ａ  受信周波数判定部
【図１】
2010016773.tif 000003
【図２】
2010016773.tif 000004
【図３】
2010016773.tif 000005
【図４】
2010016773.tif 000006